【事件の表示】
　平成　７年特許願第１９５１４５号「受信装置」拒絶査定不服審判事件〔平成　９年　２月１４日出願公開、特開平　９−　４６３０５〕について、次のとおり審決する。
【結　論】
　本件審判の請求は、成り立たない。
【理　由】
第１．手続の経緯
　本願は、平成７年７月３１日の出願であって、平成１８年２月２３日に拒絶査定がなされ、これに対し、同年３月３０日に拒絶査定不服審判が請求されると共に同年４月２６日付けで手続補正がなされたものである。
　
第２．補正却下の決定
［補正却下の決定の結論］
　平成１８年４月２６日付けの手続補正を却下する。
　
［理由］
１．補正後の本願発明
　本件補正により、特許請求の範囲の請求項１は、次のように補正された。
　
【請求項１】
　複数の映像情報が符号化された複数の符号化情報と付加情報とが多重化された特定の放送信号を選局する選局手段と、
　上記選局手段により選局された上記特定の放送信号を少なくとも第１及び第２の符号化情報、及び付加情報に分離する信号分離手段と、
　上記第１の符号化情報を復号して放送番組に登場する第１の登場人物を主体とした第１の映像情報を出力する第１の復号手段と、
　上記第２の符号化情報を復号して上記放送番組に登場する第２の登場人物を主体とした第２の映像情報を出力する第２の復号手段と、
　少なくとも上記第１及び第２の映像情報を識別する第１の識別情報及び第２の識別情報を有する上記付加情報と、上記第１及び第２の映像情報が供給され、少なくとも上記第１及び第２の映像情報の分割画面を合成し出力する第１の表示モード、及び少なくとも上記第１及び第２の映像情報のうちいずれか一方の映像情報を出力する第２の表示モードを有する画面合成部と、外部からの入力信号に応じて、上記画面合成部に、上記第１或いは第２の表示モードを選択する制御信号を送信する制御部とを有する制御手段とを備え、
　上記画面合成部は、少なくとも上記第１及び第２の識別情報に対応するメニュー画面と、上記分割画面の表示を選択するためのメニュー画面とをテレビモニタに出力し、
　外部から上記第１の識別情報あるいは上記第２の識別情報を選択する選択信号が入力されたとき、
　上記制御部は、上記画面合成部に上記選択された識別情報によって識別される映像情報を出力するように上記第２の表示モードを選択する制御信号を送信し、
　上記画面合成部は上記制御信号に応じて上記テレビモニタに対して上記選択された識別情報によって識別される映像情報を出力し、
　外部から上記分割画面の表示を選択する選択信号が入力されたとき、
　上記制御部は、上記画面合成部に少なくとも上記第１及び第２の映像情報の分割画面を合成し出力する上記第１の表示モードを選択する制御信号を送信し、
　上記画面合成部は上記制御信号に応じて上記テレビモニタに対して少なくとも上記第１及び第２の映像情報の分割画面を合成し出力する
ことを特徴とするディジタル放送受信装置。
　
　本件補正は、請求項１及び請求項２を削除し、
　請求項３に記載した発明を特定するために必要な事項である「画面合成部」に「少なくとも上記第１及び第２の識別情報に対応するメニュー画面と、」という限定を付加し、
　「外部から上記第１の識別情報あるいは上記第２の識別情報を選択する選択信号が入力されたとき、上記制御部は、上記画面合成部に上記選択された識別情報によって識別される映像情報を出力するように上記第２の表示モードを選択する制御信号を送信し、上記画面合成部は上記制御信号に応じて上記テレビモニタに対して上記選択された識別情報によって識別される映像情報を出力し」という限定を付加し、
　「受信装置」に「ディジタル放送」という限定を付加して、
　新たな請求項１とするものであり、特許法第１７条の２第４項第２号の特許請求の範囲の減縮を目的とするものに該当する。
　
２．独立特許要件
　そこで、本件補正後の請求項１に係る発明（以下、「本願補正発明」という。）が特許出願の際独立して特許を受けることができるものであるか（特許法第１７条の２第５項において準用する同法１２６条第５項の規定に適合するか）について以下に検討する。
　
（１）刊行物１記載の発明
　原査定の拒絶の理由に引用された、特開平５−６４１６７号公報（以下、「刊行物１」という。）には、図面と共に以下の記載がなされている。
　
【０００１】
【産業上の利用の分野】本発明は、テレビ放送やラジオ放送などの放送通信方式に係り、特に、放送内容を見るための制御情報も送受信することを特徴とした放送方式に関する。
　
【０００７】また、前述したように、従来の放送方式において、視聴者は、複数チャネルのうちから、求める情報に応じて１つのチャネルを選択することができる。しかし、１つのチャネル内においては、視聴者に映像の選択権はなく、選択したチャネルによって放送される映像を受動的に視ることのみが許される。しかし、各視聴者によって、求める情報は異なっている。そこで、１つのチャネル内においても求める情報に応じて、柔軟に映像を選択できることが望ましい。
【０００８】そこで、本発明は、多様なサ−ビスを視聴者に提供可能とするために、圧縮方式や多重化方式や視聴者の映像の選択性等に柔軟度を持たせたテレビジョン放送方式を提供することを目的とする。
　
【００３０】さて、次に、受信装置１０２の各部の働きを述べる。
【００３１】ユーザ操作入力部１１３は、受信装置１０２に対する受信者の指示を取り込む。いま、受信者の指示として視聴を希望する番組チャネルの選択があったものとする。ここで、受信者には、制御チャネルを除く放送チャネル、すなわち、番組チャネルの選択のみが認められている。
【００３２】受信部１０８は、前記送信装置１０１から送信された制御チャネルを受信し復調する。
【００３３】信号分離部１０９は受信部１０８が復調した制御チャネル内の時分割多重化された制御情報を分離し、前記同期用フラグに基づいて、選択された番組チャネルについての制御情報を抽出し、復号化する。信号分離部１０９では、制御信号に関し付加されたパリティ符号を検査し、もし誤りがあれば誤り訂正を行う。
【００３４】受信制御部１１４は、復号化された制御情報に応じて、受信部１０８と、信号分離部１０９と、復号化部１１０を設定する。
【００３５】受信部１０８は、受信制御部１１４よりの設定内容に応じて、選択された番組チャネルを受信し復調する。
【００３６】信号分離部１０９は、受信制御部１１４よりの設定内容に応じて、復調された番組チャネル内の各放送内容情報を分離し、分離した放送内容情報のいづれかを復号化部１１０に渡す。
【００３７】復号化部１１０は、受信制御部１１４よりの設定内容に応じて、放送内容情報を復号化する。本実施例において、復号化部１１０はＤＳＰ（Ｄｇｉｔａｌ　Ｓｉｇｎａｌ　ｐｒｏｃｅｓｓｏｒ）で構成する。そして、復号化部１１０は、受信制御部１１４よりの設定された復号化プログラムを実行する。
【００３８】表示部１１１は、復号化された放送内容情報を復号化部１１０から受け取り表示する。
【００３９】次に本実施例で用いる前記制御情報の内容を説明する。制御情報は、番組チャネルで放映される番組毎に生成される。
【００４０】図３に制御情報の内容を示す。図示した例は、時分割多重化された放送内容情報が全て動画像データである番組チャネルについての制御情報を示している。
【００４１】制御情報３００は、図示するように、プログラムＩＤ３１０、画像情報３２０、通信情報３３０、制御用プログラム３４０からなる。
【００４２】プログラムＩＤ３１０は、放映される番組毎に制御情報毎に付される固有の識別番号である。
【００４３】画像情報３２０は、制御情報に対応する番組チャネルによって、送信する画像を通知するための情報である。
【００４４】画像情報３２０は、画像サイズ３２１、画像コマ数３２２、ピクセル構成３２３、ピクセル並３２４びからなる。
【００４５】画像サイズは、画像の縦横のピクセル数を表す。画像コマ数は、１秒当たりの画像のフレ−ムレ−トと、対応する番組チャネル内に多重化されている映像数を示す。
【００４６】ピクセル構成は、１つのピクセルが、各ＲＧＢ成分につき何ビットで表現されているかを示す。図示した例の場合、各８ビット（２５６階調）としている。
【００４７】ピクセル並びは、各色成分情報が動画像データ内にどのように格納されているかを示す。図３に示す例では、Ｒの画面、Ｇの画面、Ｂの画面の順に、１画面単位に各色成分が格納されていることを示している。
【００４８】通信情報３３０は、通信方式３３１、ビット数３３２、同期フレーム信号３３３よりなる。
【００４９】通信方式３３０は、制御情報に対応する番組チャネルの通信方式を通知するための情報である。図示した例では、対応する番組チャネルが通信方式として、パルスコード周波数変調（ＰＣＭ／ＦＭ）を採用していることを示している。
【００５０】また、ビット数３４２は、データのビット長を示す。図示した例では、８ビットとしている。同期用フレーム信号３４３は番組チャネル上の動画像データの位置の基準となる同期フレ−ムに用いられているデータ値を示している。図示した例では、同期フレ−ムのデータをＯｘＦＦＦＦＦＦＦＦとしている。
【００５１】制御用プログラム３４０は、受信制御部１１４内にロードされるプログラムであり、選択された番組チャネルの動画像を復号するとともに各種のサービスを行なうためのプログラムである。
【００５２】制御用プログラム３４０は、制御プログラム３４１、復号用プログラム３４２、対話画面データ３４３よりなる。
【００５３】制御プログラム３４１は、制御情報が対応する番組チャネルに関して、各種のサ−ビスを提供するプログラムである。
【００５４】画像復号用プログラム３４２は、符号化して送信した画像情報を復号するためのプログラムである。図示した例では、ランレングス復号プログラムを格納している。
【００５５】対話画面データ３４３は、制御プログラムが、視聴者へ各種サ−ビスを提供するために用いる画面のデータである。
【００５６】このように、送信装置１０１は、送信した放送内容情報を再現するために必要な情報と、放送内容情報を紀陽するためのプログラムを制御情報に含める。
【００５７】以下、本実施例に係るテレビジョン放送システムの第１の動作例を示す。
【００５８】いま、複数のカメラで同時に撮影した料理状況を放映する番組を考える。
【００５９】図４にこのような番組放送のようすを示す。
【００６０】まず、送信装置側の動作を説明する。
【００６１】図中において、送信装置内の入力装置１、２、３（４０１、４０１、４０３）は、それぞれ手元像、包丁面像、作業者全体像を撮影する。入力装置１で撮影した画像を画像１と、入力装置２で撮影した画像を画像２と、入力装置３で撮影した画像を画像３と呼ぶ。
【００６２】送信装値１０１は、信号合成符号化部で、撮影された各画像をデジタルサンプリングし、サンプリングしたデータを各フレーム毎に、ランレングス法で圧縮符号化し、圧縮符号化後の各画像データをフレーム単位に、画像１、画像２、画像３の順に順次並べて時分割多重化する。そして、送信部１９５にて、番組チャネル４０４に割り当てられている周波数で変調して、番組チャネル４０４上に送信する。なお、この他、画像の符号化方式として主要なものとしては、ＤＣＴ（離散コサイン変換）による方式等があり、本実施例において、サンプリングした画像データをＤＣＴ方式により、圧縮符号化するようにしてもよい。ＤＣＴ方式によって圧縮符号化した場合、制御情報の画像復号用プログラムは逆ＤＣＴを実行するプログラムとなる。
【００６３】また、この番組チャネル４０４上の画像１、画像２、画像３を受信装置で制御するための制御情報を、プログラム記憶部より信号合成符号化部１０４に読み出し、他の番組チャネルについての制御情報と時分割多重化する。そして、送信部１０５で、時分割多重化した制御情報を変調して制御チャネル上に送信する。
【００６４】ここで番組チャネル４０４についての制御情報には、制御プログラム３４１として、受信者にどのカメラからの画像を表示するかを選択させるためのプログラムとが含まれている。
【００６５】次に、番組チャネル４０４を受信する受信装置１０２側の動作を、図５、６、７に示すフロチャ−トに沿って説明する。
【００６６】受信制御部１１４は、受信が始まると、まず、受信する番組チャネルを確認し（ステップ５０２）、信号分離部１０９で復号化された、番組チャネル４０４についての制御情報の中のプログラムＩＤと（図３、３１０）を読み込み（ステップ５０３）、前回ロ−ドした制御情報のプログラムＩＤとを比較し（ステップ５０４）、異なる場合には、今回の制御情報を、新たな制御情報として受信制御部１１４内にロードする（ステップ５０５）。受信制御部は、制御情報をロードした後、制御情報内の制御プログラム３４１を実行する（ステップ５０６）。
【００６７】制御プログラムのフロ−チャ−トを図６に示す。
【００６８】図示するように、制御プログラムは以下のように実行される。
【００６９】まず、受信した制御情報に応じて、受信部１０８と、信号分離部１０９と、復号化部１１０を設定する（ステップ６０１）。具体的には、受信部１０８に制御情報内の通信情報３３０を送る。受信部１０８は、この情報に基づいて、番組チャネル４０４上のデータを順次復調する。そして、信号分離部１０９に復調したデータを送る。また、受信制御部１１４は、信号分離部１０９に、画像情報３２０を送る。信号分離部１０９はこの情報に基づいて、復調された番組チャネル４０４上のデータより、画像１のデータ、画像２のデータ、画像３のデータを分離し、受信制御部１１４に指示に応じて分離した画像データのいづれかを復号化部１１０に渡す。いま、受信開始時には、デフォルトとして、画像１のデータを復号化部１１０に渡すものとする（ステップ６０２）。以下、画像１のデータによる映像を画面１、画像２のデータによる映像を画面２、画像３のデータによる映像を画面３という。また、受信制御部１１４は、復号化部１１０に画像復号用プログラム３４１を送る。復号化部１１０は、この画像復号用プログラムを実行することにより、信号分離部１０９より受け取った画像データを復号し、表示部１１１に表示する。
【００７０】そして、次に、表示部の表示画面上に重畳して、対話画面データ３４３のうちの制御プログラム内で指定されている画面データを表示する（ステップ６０３）。結果、表示部１１１の下段には図４符号４０４で示すようなユーザ選択メニューが表示される。このユ−ザ選択メニュ−は、表示部に表示する映像を選択させるものである。
【００７１】次に、以下の処理を各画像フレ−ム毎に行なう（ステップ６０４）。
【００７２】受信制御部１１４は、ユザ−選択メニュ−に従った視聴者からの指示があった場合（ステップ６０７）、指定された画像データに出力を切り換えるよう信号分離部１０９に指示する。この画像データは復号され表示部１１１に表示される。すなわち、視聴者は、料理場面の手元像、包丁面像、作業者全体像のうちから、任意の映像を選択して見ることができる（ステップ６０８〜６１１）。
【００７３】また、受信制御部１１４は、各画像フレ−ム毎に、受信する制御情報のプログラムＩＤに変更がないか、ユーザによって番組チャンネル切替が行なわれていないかをチェックし（ステップ６０５、６０６）、受信する制御情報のプログラムＩＤに変更があったか、もくは、番組チャネルの切り換えが行なわれている場合には、制御プログラムを終了し、制御情報を取り込む初めの処理まで戻る。
　
　以上の記載により、刊行物１には、次の発明（以下、「刊行物１記載発明」という。）が記載されていると認められる。
　
　視聴者が１つのチャネル内において求める情報に応じて、柔軟に映像を選択できるテレビジョン放送方式において、
　撮影された画像１、画像２、画像３をデジタルサンプリングし、サンプリングしたデータを各フレーム毎に、ランレングス法で圧縮符号化し、圧縮符号化後の各画像データをフレーム単位に、画像１、画像２、画像３の順に順次並べて時分割多重化し、割り当てられている周波数で変調して送信した番組チャネルと、
　この番組チャネル内に多重化されている映像数を含み、この番組チャネル上の画像１、画像２、画像３を受信装置で制御するための制御情報を、他の番組チャネルについての制御情報と時分割多重化し、変調して送信した制御チャネルと、を受信する受信装置であって、
　受信者の指示として視聴を希望する番組チャネルの選択があると、
　受信部は、制御チャネルを受信し復調し、信号分離部は受信部が復調した制御チャネル内から、選択された番組チャネルについての制御情報を抽出し復号化し、
　受信制御部は、復号化された制御情報に応じて、受信部と、信号分離部と、復号化部を設定し、
　受信部は、受信制御部よりの設定内容に応じて、選択された番組チャネルを受信し復調し、
　信号分離部は、受信制御部よりの設定内容に応じて、復調された番組チャネル内の画像１のデータ、画像２のデータ、画像３のデータを分離し、分離した画像データのいずれかを復号化部に渡し、
　復号化部は、受信制御部よりの設定内容に応じて、画像データを復号化し、
　表示部は、復号化された画像データを復号化部から受け取り表示し、
　受信制御部は、表示部の表示画面上に重畳して、表示部に表示する映像を選択させるユーザ選択メニューを表示し、ユーザー選択メニューに従った視聴者からの指示があった場合、指定された画像データに出力を切り換えるよう信号分離部に指示し、この画像データが復号され表示部に表示される、
　受信装置。
　
（２）対比
　本願補正発明と刊行物１記載発明を対比すると、刊行物１記載発明の「画像」、「圧縮符号化後の画像データ」、「表示部」、「受信装置」は、それぞれ、本願補正発明の「映像情報」、「符号化情報」、「テレビモニタ」、「ディジタル放送受信装置」に相当する。
　そして、刊行物１記載発明の「撮影された画像１、画像２、画像３を圧縮符号化し、圧縮符号化後の各画像データを時分割多重化して送信した番組チャネル」は、放送されるから、本願補正発明の「複数の映像情報が符号化された複数の符号化情報と付加情報とが多重化された特定の放送信号」と、複数の映像情報が符号化された複数の符号化情報が多重化された特定の放送信号の点、で共通する。
　
　刊行物１記載発明の「受信部」は、受信者が選択した番組チャネルについての制御情報を抽出し復号化し、受信者が選択した番組チャネルを受信し復号するから、本願補正発明の「選局手段」といえる。
　
　刊行物１記載発明の「受信制御部よりの設定内容に応じて、復調された番組チャネル内の画像１のデータ、画像２のデータ、画像３のデータを分離する信号分離部」は、
　本願補正発明の「上記選局手段により選局された上記特定の放送信号を少なくとも第１及び第２の符号化情報、及び付加情報に分離する信号分離手段」と、
　選局手段により選局された特定の放送信号を少なくとも第１及び第２の符号化情報に分離する信号分離手段、の点で共通する。
　
　刊行物１記載発明の「復号化部」は、圧縮符号化された画像データを復号化するから、
　本願補正発明の「上記第１の符号化情報を復号して放送番組に登場する第１の登場人物を主体とした第１の映像情報を出力する第１の復号手段」及び「上記第２の符号化情報を復号して上記放送番組に登場する第２の登場人物を主体とした第２の映像情報を出力する第２の復号手段」と、
　符号化情報を復号して映像情報を出力する復号手段の点で共通する。
　
　刊行物１記載発明の「この番組チャネル内に多重化されている映像数を含み、この番組チャネル上の画像１、画像２、画像３を受信装置で制御するための制御情報」は、
　信号分離部が、制御情報に応じて設定された内容に応じて、番組チャネル内の画像１のデータ、画像２のデータ、画像３のデータを分離し、復号化部が、制御情報に応じて設定された内容に応じて、画像データを復号化するから、
　本願補正発明の「第１及び第２の映像情報を識別する第１の識別情報及び第２の識別情報を有する付加情報」といえる。
　
　刊行物１記載発明の「受信制御部」は、復号化された制御情報に応じて、受信部、信号分離部及び復号化部を設定するから、「付加情報が供給される」といえる。
　
　刊行物１記載発明の「受信制御部は、信号分離部に指示して、画像１、画像２又は画像３のいずれかを復号化部に渡し、復号化部は画像データを復号化し、この画像データが表示される」ことは、本願補正発明の「第１及び第２の映像情報のうちいずれか一方の映像情報を出力する第２の表示モード」といえ、
　刊行物１記載発明の「受信制御部及び信号分離部」は、この表示をするための手段である点で本願補正発明の「制御手段」といえる。
　
　刊行物１記載発明の「受信制御部が、表示部に、表示部に表示する映像を選択させるユーザ選択メニューを表示する」ことは、本願補正発明の「少なくとも上記第１及び第２の識別情報に対応するメニュー画面をテレビモニタに出力する」ことといえる。
　
　刊行物１記載発明の「受信制御部は、ユーザー選択メニューに従った視聴者からの指示があった場合、指定された画像データに出力を切り換えるよう信号分離部に指示し、この画像データが表示部に表示される」ことは、本願補正発明の「外部から上記第１の識別情報あるいは上記第２の識別情報を選択する選択信号が入力されたとき、上記選択された識別情報によって識別される映像情報を出力するように上記第２の表示モードを選択する制御信号を送信し、上記制御信号に応じて上記テレビモニタに対して上記選択された識別情報によって識別される映像情報を出力する」ことといえ、
　刊行物１記載発明の「受信制御部」は、出力を切り替えるよう指示する点で本願補正発明の「制御部」といえる。
　
　したがって、両者の発明の一致点、相違点は、以下のとおりである。　
　
＜一致点＞
「　複数の映像情報が符号化された複数の符号化情報が多重化された特定の放送信号を選局する選局手段と、
　上記選局手段により選局された上記特定の放送信号を少なくとも第１及び第２の符号化情報に分離する信号分離手段と、
　符号化情報を復号して映像情報を出力する復号手段と、
　少なくとも上記第１及び第２の映像情報を識別する第１の識別情報及び第２の識別情報を有する上記付加情報が供給され、少なくとも第１及び第２の映像情報のうちいずれか一方の映像情報を出力する第２の表示モードを有し、制御部を有する制御手段を備え、
　制御手段は、少なくとも上記第１及び第２の識別情報に対応するメニュー画面をテレビモニタに出力し、
　外部から上記第１の識別情報あるいは上記第２の識別情報を選択する選択信号が入力されたとき、
　制御部は、上記選択された識別情報によって識別される映像情報を出力するようにする制御信号を送信し、
　制御手段は上記制御信号に応じて上記テレビモニタに対して上記選択された識別情報によって識別される映像情報を出力する、
　ディジタル放送受信装置。」
である点。
　
＜相違点１＞
　特定の放送信号が、本願補正発明では、複数の映像情報が符号化された複数の符号化情報と「付加情報と」が多重化されているのに対して、
　刊行物１記載発明では、撮影された画像１、画像２、画像３を圧縮符号化し、圧縮符号化後の各画像データを時分割多重化して送信した番組チャネルであり、制御情報は制御チャネルで送信される点。
　そして、信号分離手段が、本願補正発明では、上記選局手段により選局された上記特定の放送信号を少なくとも第１及び第２の符号化情報「、及び付加情報」に分離するのに対して、刊行物１記載発明では、復調された番組チャネル内の画像１のデータ、画像２のデータ、画像３のデータを分離するものである点。
　
＜相違点２＞
　復号手段が、本願補正発明では、「上記第１の符号化情報を復号して放送番組に登場する第１の登場人物を主体とした第１の映像情報を出力する第１の復号手段と、上記第２の符号化情報を復号して上記放送番組に登場する第２の登場人物を主体とした第２の映像情報を出力する第２の復号手段」であるのに対して、
　刊行物１記載発明では、分離し、符号圧縮化された画像データのいずれかを復号化するものである点。
　
＜相違点３＞
　制御手段が、本願補正発明では、少なくとも上記第１及び第２の映像情報を識別する第１の識別情報及び第２の識別情報を有する上記付加情報と、「上記第１及び第２の映像情報」が供給され、「少なくとも上記第１及び第２の映像情報の分割画面を合成し出力する第１の表示モード」、及び少なくとも上記第１及び第２の映像情報のうちいずれか一方の映像情報を出力する第２の表示モードを有する「画面合成部」と、「外部からの入力信号に応じて、上記画面合成部に、上記第１或いは第２の表示モードを選択する制御信号を送信する制御部」とを有する制御手段であるのに対して、
　刊行物１記載発明では、受信制御部は、復号化された制御情報を供給され、信号分離部に指示して、画像１、画像２又は画像３のいずれかを復号化部に渡し、復号化部は画像データを復号化し、この画像データが表示されるものである点。
　
　そして、本願補正発明は、「上記画面合成部は、」少なくとも上記第１及び第２の識別情報に対応するメニュー画面と、「上記分割画面の表示を選択するためのメニュー画面と」をテレビモニタに出力し、外部から上記第１の識別情報あるいは上記第２の識別情報を選択する選択信号が入力されたとき、上記制御部は、「上記画面合成部に」上記選択された識別情報によって識別される映像情報を出力するように「上記第２の表示モードを選択する」制御信号を送信し、「上記画面合成部は」上記制御信号に応じて上記テレビモニタに対して上記選択された識別情報によって識別される映像情報を出力し、「外部から上記分割画面の表示を選択する選択信号が入力されたとき、上記制御部は、上記画面合成部に少なくとも上記第１及び第２の映像情報の分割画面を合成し出力する上記第１の表示モードを選択する制御信号を送信し、上記画面合成部は上記制御信号に応じて上記テレビモニタに対して少なくとも上記第１及び第２の映像情報の分割画面を合成し出力する」のに対して、
　刊行物１記載発明は、受信制御部が、表示部に、表示部に表示する映像を選択させるユーザ選択メニューを表示し、ユーザー選択メニューに従った視聴者からの指示があった場合、指定された画像データに出力を切り換えるよう信号分離部に指示し、この画像データが表示部に表示されるものである点。
　
（３）判断
（３−１）相違点１について
　山内寛紀、ほか、“ＭＰＥＧ２パソコンボード”、情報処理学会研究報告、１９９５年３月３１日、９５巻、３７号、３７−４２ページ、９５−ＡＶＭ−８（３８ページ左欄２−３行の「ＭＰＥＧ２の高品質ビデオ／オーディオを使ったマルチメディア通信」、４０ページ右欄５−８行の「ＭＵＸ−ＬＳＩは、ビデオ１チャンネル、オーディオ１チャンネル（ステレオ）、ユーザデータ１チャンネルの多重化機能を有している。」、４１ページ右欄１２−１６行の「ＤＭＵＸ−ＬＳＩは、…（中略）…ビデオ、オーディオ、ユーザデータを分離するＬＳＩである。」）に記載されているように、ビデオとデータとを多重化して通信し、ビデオとデータとを分離するすることは、本願出願時、周知技術である。
　そして、刊行物１記載発明に上記周知技術を適用して、複数の映像情報が符号化された複数の符号化情報と付加情報とが多重化された特定の放送信号とし、選局手段により選局された特定の放送信号を少なくとも第１及び第２の符号化情報、及び付加情報に分離する信号分離手段とすることは、当業者が容易になし得ることである。
　
（３−２）相違点２について
　特開平７−１９３７４９号公報（図１２）、特開平７−１８４１３８号公報（図１及び図５）、特開平５−３１６４４７号公報（図１）などに記載されているように、複数のデコーダを有することは、本願出願時、周知技術である。
　
　そして、刊行物１記載発明に上記周知技術を適用して、第１の符号化情報を復号して第１の映像情報を出力する第１の復号手段と、第２の符号化情報を復号して第２の映像情報を出力する第２の復号手段とを備えるようにすることは、当業者が容易になし得ることであり、その際、放送される映像情報の内容は放送事業者が適宜企画するものにすぎないから、放送番組に登場する第１の登場人物を主体とした第１の映像情報と、前記放送番組に登場する第２の登場人物を主体とした第２の映像情報とすることは設計事項である。
　
（３−３）相違点３について　
　特開平７−１６２７７９号公報（３欄２−４行の「複数の映像を同一のサイズに圧縮して表示する多画面表示機能を有する従来の多画面表示テレビジョン受信機」、５欄２−６行の「複数のテレビジョン信号を受信可能な受信手段と、前記受信手段からの複数の映像信号を合成することにより表示画面上に前記複数の映像信号に基づく複数の縮小画面を多画面表示させることを可能にする合成手段」）、
　特開平７−１８４１３８号公報（４欄４３−４４行の「ピクチャー・アウト・ピクチャーという機能、つまり２画面映像の機能」、６欄１９−２７行の「２画面を画面表示する場合には、上段に示す第１の画面の映像処理回路において、…（中略）…１／２圧縮回路にて時間軸が１／２の圧縮率で圧縮された映像信号が加算手段５８に供給されると同時に、一方では、下段に示す第２の画面の映像処理回路から、…（中略）…１／２圧縮された第２の映像信号が前記加算手段５８に供給されている。」）などに記載されているように、第１および第２の映像情報が供給され、第１及び第２の映像情報の分割画面を合成し出力することは、本願出願時、周知技術である。
　そして、刊行物１記載発明に上記周知技術を適用して、少なくとも上記第１及び第２の映像情報を識別する第１の識別情報及び第２の識別情報を有する上記付加情報と、上記第１及び第２の映像情報が供給され、少なくとも上記第１及び第２の映像情報の分割画面を合成し出力する第１の表示モード、及び少なくとも上記第１及び第２の映像情報のうちいずれか一方の映像情報を出力する第２の表示モードを有する画面合成部と、外部からの入力信号に応じて、上記画面合成部に、上記第１或いは第２の表示モードを選択する制御信号を送信する制御部とを有する制御手段とし、その際、画面合成部が、上記分割画面の表示を選択するためのメニュー画面をテレビモニタに出力し、外部から上記分割画面の表示を選択する選択信号が入力されたとき、上記制御部は、上記画面合成部に少なくとも上記第１及び第２の映像情報の分割画面を合成し出力する上記第１の表示モードを選択する制御信号を送信し、上記画面合成部は上記制御信号に応じて上記テレビモニタに対して少なくとも上記第１及び第２の映像情報の分割画面を合成し出力する、ようにすることは当業者が容易になし得ることである。
　
　そして、本願補正発明の作用効果も、刊行物１記載発明及び周知技術から当業者が予測できる範囲のものである。
　
３．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３．本願発明
　
１．本願発明
　平成１８年４月２６日付けの手続補正は上記のとおり却下されたので、本願の請求項１に係る発明（以下、「本願発明」という。）は、平成１８年１月６日付け手続補正書の特許請求の範囲の請求項１に記載された事項により特定される、以下のとおりのものと認める。
　
【請求項１】
　複数の映像情報が符号化された複数の符号化情報と付加情報とが多重化された特定の放送信号を選局する選局手段と、
　上記選局手段により選局された上記特定の放送信号を少なくとも第１及び第２の符号化情報、及び付加情報に分離する信号分離手段と、
　上記第１の符号化情報を復号して放送番組に登場する第１の登場人物を主体とした第１の映像情報を出力する第１の復号手段と、
　上記第２の符号化情報を復号して上記放送番組に登場する第２の登場人物を主体とした第２の映像情報を出力する第２の復号手段と、
　少なくとも上記第１及び第２の映像情報を識別する第１の識別情報及び第２の識別情報を有する上記付加情報と、上記第１及び第２の映像情報が供給され、少なくとも上記第１及び第２の映像情報の分割画面を合成し出力する第１の表示モード、及び少なくとも上記第１及び第２の映像情報のうちいずれか一方の映像情報を出力する第２の表示モードを有する画面合成部と、外部からの入力信号に応じて、上記画面合成部に、上記第１或いは第２の表示モードを選択する制御信号を送信する制御部とを有する制御手段と、
　を備えたことを特徴とする受信装置。
　
２．刊行物記載の発明
　これに対する刊行物１記載発明は、前記「第２．補正却下の決定　２．独立特許要件　（１）刊行物１記載発明」で認定したとおりである。
　
３．本願発明と刊行物１記載発明との対比・判断
　本願発明は、前記２．で検討した本願補正発明から「受信装置」の「ディジタル放送」という限定と、
　「上記画面合成部は、少なくとも上記第１及び第２の識別情報に対応するメニュー画面と、上記分割画面の表示を選択するためのメニュー画面とをテレビモニタに出力し、外部から上記第１の識別情報あるいは上記第２の識別情報を選択する選択信号が入力されたとき、上記制御部は、上記画面合成部に上記選択された識別情報によって識別される映像情報を出力するように上記第２の表示モードを選択する制御信号を送信し、上記画面合成部は上記制御信号に応じて上記テレビモニタに対して上記選択された識別情報によって識別される映像情報を出力し、外部から上記分割画面の表示を選択する選択信号が入力されたとき、上記制御部は、上記画面合成部に少なくとも上記第１及び第２の映像情報の分割画面を合成し出力する上記第１の表示モードを選択する制御信号を送信し、上記画面合成部は上記制御信号に応じて上記テレビモニタに対して少なくとも上記第１及び第２の映像情報の分割画面を合成し出力する」という発明を特定するために必要な事項と、を省いたものである。
　
　そうすると、本願発明の構成要件をすべて含み、さらに他の構成要件を付加したものに相当する本願補正発明が、前記「第２．補正却下の決定　２．独立特許要件　（３）判断」に記載したとおり、刊行物１記載発明及び上記周知技術に基づいて、当業者が容易に発明をすることができたものであるから、本願発明も、同様の理由により、刊行物１記載発明及び周知技術に基づいて、当業者が容易に発明をすることができたものである。
　
４．むすび
　以上のとおり、本願発明は、刊行物１記載発明及び周知技術に基づいて、当業者が容易に発明をすることができたものであるから、特許法第２９条第２項の規定により特許を受けることができない。
　したがって、本願は、その他の請求項について検討するまでもなく、拒絶すべきものである。
　よって、結論のとおり審決する。